(57)【要約】【課題】  赤外線リモコン送信機に対して、チャイルドロック時における赤外線対策を施す。【解決手段】  複数の操作キーに対して所定のキー操作を行ったとき、チャイルドロックの設定あるいは解除を実行する（ステップ１２１、１３１）。チャイルドロックが解除されている場合に、キー操作を行ったときには、そのキー操作に対応する内容の遠隔操作信号を形成して赤外線ＬＥＤに供給する（ステップ１１１）。チャイルドロックが設定されている場合に、キー操作を行ったときには、遠隔操作信号を形成しないとともに、表示用のＬＥＤにチャイルドロックが設定されていること表示するドライブ信号を供給する（ステップ１４１）。【選択図】  図２
2005204112.tif 000002
【特許請求の範囲】
【請求項１】
赤外線を出力して対象となる機器を遠隔操作するための送信機において、
ユーザにより操作される複数の操作キーと、
この操作キーのどれかが押されたとき、その押された操作キーに対応して所定の信号を形成する信号形成回路と、
上記赤外線を出力する赤外線ＬＥＤと、
表示用のＬＥＤと
を有し、
上記信号形成回路は、
上記複数の操作キーに対して所定のキー操作を行ったとき、チャイルドロックの設定あるいは解除を実行し、
上記チャイルドロックが解除されている場合に、上記複数の操作キーに対してキー操作を行ったときには、そのキー操作に対応する内容の遠隔操作信号を形成して上記赤外線ＬＥＤに供給し、
上記チャイルドロックが設定されている場合に、上記複数の操作キーに対してキー操作を行ったときには、上記遠隔操作信号を形成しないとともに、
上記表示用のＬＥＤにチャイルドロックが設定されていること表示するドライブ信号を供給する
ようにした遠隔操作の送信機。
【請求項２】
赤外線を出力して対象となる機器を遠隔操作するための送信機において、
ユーザにより操作される複数の操作キーと、
この操作キーのどれかが押されたとき、その押された操作キーに対応して所定の信号を形成する信号形成回路と、
上記赤外線を出力する赤外線ＬＥＤと、
ＬＣＤと
を有し、
上記信号形成回路は、
上記複数の操作キーに対して所定のキー操作を行ったとき、チャイルドロックの設定あるいは解除を実行し、
上記チャイルドロックが解除されている場合に、上記複数の操作キーに対してキー操作を行ったときには、そのキー操作に対応する内容の遠隔操作信号を形成して上記赤外線ＬＥＤに供給し、
上記チャイルドロックが設定されている場合に、上記複数の操作キーに対してキー操作を行ったときには、上記遠隔操作信号を形成しないとともに、
上記ＬＣＤにチャイルドロックが設定されていること表示するドライブ信号を供給する
ようにした遠隔操作の送信機。
【請求項３】
請求項１あるいは請求項２に記載の遠隔操作の送信機において、
確認音用の発音素子を有し、
上記信号形成回路は、上記複数の操作キーのいずれかが操作されたとき、その操作されたことを示すドライブ信号を上記発音素子に供給する
ようにした遠隔操作の送信機。
【請求項４】
請求項３に記載の遠隔操作の送信機において、
上記チャイルドロックが解除されているときと、設定されているときとで、上記発音素子に供給されるドライブ信号を異ならせる
ようにした遠隔操作の送信機。
【発明の詳細な説明】
【技術分野】
【０００１】
この発明は遠隔操作の送信機に関する。
【背景技術】
【０００２】
テレビ受像機、ＶＴＲ、カーナビゲーション装置などのＣＥ機器は、一般にリモコン（遠隔操作）ができるようにされている。ところが、幼児は親の動作を見て真似をする傾向があるので、幼児が親の真似をしてリモコン送信機をいたずらすることがある。特に、リモコン送信機によっては、操作キーを押したとき、確認音の出るものもあるので、おもちゃの感覚でいたずらをすることがある。
【０００３】
すると、ＣＥ機器の動作や設定を変更する操作キーが押されてしまい、思わぬトラブルの発生することがある。例えば、テレビ受像機の音量が突然大きくなったり、ＶＴＲのタイマ録画の設定が解除されたり、あるいはカーナビゲーション装置の電源が切れて表示が突然消えたりすることがある。
【０００４】
そこで、一部のＣＥ機器には、「チャイルドロック」と呼ばれる機能が用意されている。すなわち、リモコン送信機の特定の複数の操作キーを同時に押すと、リモコン送信機からチャイルドロックを指示するリモコン信号が出力され、ＣＥ機器にチャイルドロックが設定される。このチャイルドロックが設定されると、以後、リモコン送信機のキーを操作してもＣＥ機器は応答しなくなる。
【０００５】
また、ＣＥ機器によっては、ＣＥ機器本体にチャイルドロックの設定用の操作キーを用意したものもある。
【０００６】
したがって、チャイルドロックの機能のあるＣＥ機器は、チャイルドロックを設定しておくことにより、幼児がリモコン送信機をいたずらしても、希望しない動作をしたり、設定が変更されたりすることがない。
【０００７】
なお、先行技術文献として例えば以下のものがある。
【特許文献１】特開平１−１７４９９４号公報
【特許文献２】特開２００２−７４７８１号公報
【発明の開示】
【発明が解決しようとする課題】
【０００８】
上述のように、チャイルドロックの機能のあるＣＥ機器は、そのチャイルドロックを設定しておくことにより、幼児にリモコン送信機を渡してもＣＥ機器に問題の発生することはない。
【０００９】
ところが、上述のようなリモコンには、一般に赤外線が使用されている。すなわち、リモコン送信機の操作キーを押すと、その押された操作キーに対応する内容の信号が形成され、この信号により変調された赤外線が、操作キーの押されている期間に繰り返し出力される。
【００１０】
このため、幼児にリモコン送信機を渡すと、ＣＥ機器に問題を生じなくても、リモコン送信機から出力される赤外線が直接幼児の目に入射することがあり、視覚に悪影響を及ぼすことがある。特に、赤外線は目に見えないので、まぶしく感じることもなく、この結果、リモコン送信機から出力される赤外線が、ひんぱんに直接目に入射することもあり、なおさら有害である。
【００１１】
このようなトラブルを防ぐには、幼児にリモコン送信機を渡さないことが最善であるが、実際には、幼児にリモコン送信機をせがまれると、おとなしくさせておくために、やむをえず渡してしまうことが多い。特に、車の走行中、車内で幼児が泣き出すと、運転に支障をきたしかねないので、泣かさないために、カーナビゲーション装置のリモコン送信機を渡してしまうことがある。
【００１２】
この発明は、このような点にかんがみ、幼児がいたずらをしても安全なリモコン送信機を提供しようとするものである。
【課題を解決するための手段】
【００１３】
この発明においては、
赤外線を出力して対象となる機器を遠隔操作するための送信機において、
ユーザにより操作される複数の操作キーと、
この操作キーのどれかが押されたとき、その押された操作キーに対応して所定の信号を形成する信号形成回路と、
上記赤外線を出力する赤外線ＬＥＤと、
表示用のＬＥＤと
を有し、
上記信号形成回路は、
上記複数の操作キーに対して所定のキー操作を行ったとき、チャイルドロックの設定あるいは解除を実行し、
上記チャイルドロックが解除されている場合に、上記複数の操作キーに対してキー操作を行ったときには、そのキー操作に対応する内容の遠隔操作信号を形成して上記赤外線ＬＥＤに供給し、
上記チャイルドロックが設定されている場合に、上記複数の操作キーに対してキー操作を行ったときには、上記遠隔操作信号を形成しないとともに、
上記表示用のＬＥＤにチャイルドロックが設定されていること表示するドライブ信号を供給する
ようにした遠隔操作の送信機
とするものである。
【発明の効果】
【００１４】
この発明によれば、リモコン送信機に対してチャイルドロックの設定・解除ができ、チャイルドロックの設定時には、操作キーを押しても赤外線が出力されることがない。したがって、幼児がリモコン送信機をおもちゃ代わりにいたずらをしても、安全であり、幼児の視覚に悪影響を及ぼすことがない。
【００１５】
また、チャイルドロックの設定・解除をリモコン送信機そのものに行うことができるので、チャイルドロック機能のないＣＥ機器に対しても、チャイルドロック機能が有効になるとともに、赤外線対策も有効となる。
【発明を実施するための最良の形態】
【００１６】
［１］  リモコン送信機の構成の一例
図１において、符号１０はこの発明によるリモコン送信機の一例を示し、この例においては、リモコン送信機１０は、上記のようなＣＥ機器、すなわち、テレビ受像機、ＶＴＲ、カーナビゲーション装置などをリモコンの対象とする場合である。
【００１７】
そして、リモコン送信機１０は、操作キー１１と、マイクロコンピュータ１２とを有する。この場合、操作キー１１は、複数のノンロックタイプのプッシュスイッチから構成され、そのスイッチ出力がマイクロコンピュータ１２に供給される。また、マイクロコンピュータ１２は、信号形成回路を構成し、リモコン信号および各種のドライブ信号を形成するものである。すなわち、マイクロコンピュータ１２は、操作キー１１のうちのどれか（単数あるいは複数）が押されたとき、その押された操作キーに対応する内容のシリアル信号を形成するとともに、そのシリアル信号によりパルス変調されたリモコン信号（被変調信号）を、操作キーが押されている期間、繰り返し形成して出力する。
【００１８】
さらに、リモコン送信機１０は、リモコン用の赤外線ＬＥＤ２１と、表示用ＬＥＤ２２と、ＬＣＤ２３と、確認音用の発音素子、例えば圧電ブザー２４とを有する。
【００１９】
この場合、赤外線ＬＥＤ２１には、マイクロコンピュータ１２から出力されるリモコン信号がドライブ回路１３を通じて供給され、赤外線ＬＥＤ２１は、そのリモコン信号を赤外線に変換してリモコンの対象となるＣＥ機器に送信する。また、表示用ＬＥＤ２２には、マイクロコンピュータ１２により形成されたドライブ信号がドライブ回路１４を通じて供給され、操作キー１１のうちの少なくとも１つが押されている期間に点灯して操作キーの押されていることを表示する。
【００２０】
さらに、ＬＣＤ２３には、マイクロコンピュータ１２により形成されたドライブ信号がドライブ回路１５を通じて供給され、操作キー１１が押されたときから所定の期間にわたってその押された操作キーに対応する文字（数字や記号を含む。以下同様）の表示を行う。また、圧電ブザー２４には、マイクロコンピュータ１２により形成されたドライブ信号がドライブ回路１６を通じて供給され、操作キー１１のうちの少なくとも１つが押されたとき、所定の短い期間に確認音を出力する。
【００２１】
さらに、リモコン送信機１０は、この発明に関わるものとして、ルーチン１００を有する。このルーチン１００の詳細については後述するが、ルーチン１００は、例えば図２に示すような内容とされ、目に安全なチャイルドロックを実現するものである。このため、ルーチン１００は、図示はしないが、マイクロコンピュータ１２のＲＯＭに用意され、そのＣＰＵにより実行されるものである。
【００２２】
なお、図２のルーチン１００は、この発明に関係する部分を抜粋して示す。また、このルーチン１００においては、チャイルドロックフラグCHLFLGが用意され、チャイルドロックが解除されているときにはCHLFLG＝“０”、設定されているときにはCHLFLG＝“１”となるものとする。
【００２３】
図３は、リモコン送信機１０の外観の一例を示す平面図である。このリモコン送信機１０は、全体が細長いほぼ直方体状に構成されるとともに、その前面（図３における上部側の面）の中央には、開口１９が形成され、この開口１９に赤外線ＬＥＤ２１が臨まされている。また、リモコン送信機１０の上面の前方には、表示用ＬＥＤ２２およびＬＣＤ２３が臨まされている。
【００２４】
さらに、リモコン送信機１０の上面の前方寄りには、操作キー１１が配置されている。なお、この例においては、操作キー１１の一部として、「１」〜「１２」の数字キー１１Ｎを有する。また、チャイルドロックの設定・解除は、操作キー１１のうち、幼児が同時に押しにくい複数のキー、例えば数字キー１１Ｎのうちの「１」キーと、「１２」キーとを同時に押すことにより実行されるものとする。
【００２５】
［２］  動作
上述の構成によれば、リモコン送信機１０の操作キー１１を押すと、ルーチン１００により、通常のリモコン操作、チャイルドロックの設定および解除、チャイルドロック時の動作が以下のように行われる。
【００２６】
［２−１］  通常のリモコン操作
この場合には、操作キー１１のうち、リモコンする内容に対応した操作キー（単数あるいは複数）を押す。すると、マイクロコンピュータ１２におけるＣＰＵの処理がルーチン１００のステップ１０１からスタートし、次にステップ１０２において、チャイルドロックフラグCHLFLGをチェックすることによりチャイルドロックが設定されているか解除されているかが判別される。
【００２７】
そして、チャイルドロックが解除（CHLFLG＝“０”）されているとすれば、処理はステップ１０２からステップ１０３に進み、このステップ１０３において、ルーチン１００の処理をスタートさせたキー操作が、数字キー１１のうちの「１」キーと「１２」キーとの同時押し（チャイルドロックの設定・解除を指示するキー操作）であったか通常のリモコンのためのキー操作であったかが判別される。
【００２８】
そして、今の場合は通常のキー操作なので、処理はステップ１０３からステップ１１１に進み、このステップ１１１において、リモコンのための処理が行われる。すなわち、マイクロコンピュータ１２から、押された操作キーに対応するリモコン信号が出力され、赤外線ＬＥＤ２１からは押された操作キー対応して変調された赤外線が出力される。また、マイクロコンピュータ１２からＬＥＤ２２のドライブ信号が出力されてＬＥＤ２２が点灯し、操作キーの押されたことが表示される。
【００２９】
さらに、マイクロコンピュータ１２から所定の表示信号が出力され、ＬＣＤ２３には押されたキーに対応する文字などが表示される。例えば、数字キー１１Ｎの「１」キーがテレビ放送の１チャンネルを指定するためのキーであって、この「１」キーが押されたときには、「１ＣＨ」の文字が表示される。また、マイクロコンピュータ１２から圧電ブザー２４のドライブ信号が出力され、圧電ブザー２４からは操作キーの押されたことを示す確認音が出力される。
【００３０】
こうして、ステップ１１１によれば、押された操作キーに対応する内容の赤外線が出力されてリモコンが実行されるとともに、これがＬＥＤ２２、ＬＣＤ２３および圧電ブザー２４によりユーザに通知される。そして、その後、処理はステップ１１２に進んでルーチン１００を終了し、マイクロコンピュータ１２は、次に操作キー１１が押されるまで待機状態となる。
【００３１】
［２−２］  チャイルドロックの設定
この場合には、チャイルドロックが解除されているときに、数字キー１１のうちの「１」キーと「１２」キーとを同時に押す。すると、マイクロコンピュータ１２のＣＰＵの処理がルーチン１００のステップ１０１からスタートしてステップ１０２に進み、チャイルドロックは解除されているので、さらにステップ１０２からステップ１０３に進む。
【００３２】
そして、今の場合、ルーチン１００の処理をスタートさせたキー操作が、数字キー１１のうちの「１」キーと「１２」キーとの同時押しなので、処理はステップ１０３からステップ１２１に進み、このステップ１２１において、チャイルドロックが設定される。すなわち、チャイルドロックフラグCHLFLGが“１”にセットされて以後はチャイルドロックがオンとされる。
【００３３】
また、マイクロコンピュータ１２からＬＥＤ２２のドライブ信号が出力されてＬＥＤ２２が例えば３秒間にわたって点灯して、チャイルドロックの設定されたことが表示される。さらに、マイクロコンピュータ１２から所定の表示信号が出力され、ＬＣＤ２３には、チャイルドロックが設定されたことを示す文字、例えば「ＬＯＣＫ」の文字が表示される。また、マイクロコンピュータ１２から圧電ブザー２４のドライブ信号が出力され、圧電ブザー２４からは操作キーの押されたことを示す確認音が出力される。
【００３４】
こうして、ステップ１２１によれば、チャイルドロックが設定されるとともに、これがＬＥＤ２２、ＬＣＤ２３および圧電ブザー２４によりユーザに通知される。そして、その後、処理はステップ１２２に進んでルーチン１００を終了し、マイクロコンピュータ１２は、次に操作キー１１が押されるまで待機状態となる。
【００３５】
［２−３］  チャイルドロックの解除
この場合には、チャイルドロックが設定されているときに、数字キー１１のうちの「１」キーと「１２」キーとを同時に押す。すると、マイクロコンピュータ１２のＣＰＵの処理がルーチン１００のステップ１０１からスタートしてステップ１０２に進み、チャイルドロックが設定されているので、さらにステップ１０２からステップ１０４に進む。
【００３６】
そして、このステップ１０４において、ルーチン１００の処理をスタートさせたキー操作が、数字キー１１のうちの「１」キーと「１２」キーとの同時押し（チャイルドロックの設定・解除を指示するキー操作）であったか他のキー操作であったかが判別される。
【００３７】
今の場合、数字キー１１のうちの「１」キーと「１２」キーとの同時押しなので、処理はステップ１０４からステップ１３１に進み、このステップ１３１において、チャイルドロックが解除される。すなわち、チャイルドロックフラグCHLFLGが“０”にセットされて以後はチャイルドロックがオフとされる。
【００３８】
また、マイクロコンピュータ１２からＬＥＤ２２のドライブ信号が出力されてＬＥＤ２２が例えば短く数回点滅して、チャイルドロックの解除されたことが表示される。さらに、マイクロコンピュータ１２から所定の表示信号が出力され、ＬＣＤ２３には、例えば「ＵＮＬＯＣＫ」の文字が表示される。また、マイクロコンピュータ１２から圧電ブザー２４のドライブ信号が出力され、圧電ブザー２４からは操作キーの押されたことを示す確認音が出力される。
【００３９】
こうして、ステップ１３１によれば、チャイルドロックが解除されるとともに、これがＬＥＤ２２、ＬＣＤ２３および圧電ブザー２４によりユーザに通知される。そして、その後、処理はステップ１４２に進んでルーチン１００を終了し、マイクロコンピュータ１２は、次に操作キー１１が押されるまで待機状態となる。
【００４０】
したがって、数字キー１１のうちの「１」キーと「１２」キーとの同時押しを行うと、チャイルドロックの設定と解除とが、ステップ１２１、１３１により同時押しごとに交互に実行されることになる。
【００４１】
［２−４］  チャイルドロック時の動作
チャイルドロックが設定されている状態では、操作キー１１によるリモコンが無効とされる。すなわち、チャイルドロックが設定されている場合には、操作キー１１が押されたとき、処理は、ステップ１０１からステップ１０２を通じてステップ１０４に進むが、このとき、CHLFLG＝“１”なので、処理はステップ１０４からステップ１４１に進み、このステップ１４１において、ダミーの処理が行われる。
【００４２】
すなわち、マイクロコンピュータ１２からＬＥＤ２２のドライブ信号が出力されてＬＥＤ２２が点灯し、操作キーの押されたことが表示される。さらに、マイクロコンピュータ１２から所定の表示信号が出力され、ＬＣＤ２３には、チャイルドロックが設定されていることを示す文字、例えば「ＬＯＣＫ」が表示される。また、マイクロコンピュータ１２から圧電ブザー２４のドライブ信号が出力され、圧電ブザー２４からは操作キーの押されたことを示す確認音が出力される。ただし、このとき、赤外線ＬＥＤ２１にはドライブ信号は供給されず、したがって、赤外線ＬＥＤ２１からは赤外線は出力されない。
【００４３】
こうして、ステップ１４１によれば、操作キー１１を押すと、ＬＥＤ２２が点灯するとともに、圧電ブザー２４が鳴るが、赤外線ＬＥＤ１３は赤外線を出力せず、したがって、リモコンは行われない。また、このリモコン操作が無効であることが、ＬＣＤ２３の表示によりユーザに通知される。
【００４４】
そして、その後、処理はステップ１４２に進んでルーチン１００を終了し、マイクロコンピュータ１２は、次に操作キー１１が押されるまで待機状態となる。
【００４５】
［３］  まとめ
上述のリモコン送信機１０によれば、チャイルドロックの設定・解除ができるが、チャイルドロックの設定時には、操作キー１１を押してもステップ１４１の処理が実行されるだけであり、赤外線ＬＥＤ２１から赤外線が出力されることがない。したがって、幼児がリモコン送信機１０をおもちゃ代わりにいたずらをしても、赤外線が出力されることがないので、安全であり、幼児の視覚に悪影響を及ぼすことがない。
【００４６】
また、チャイルドロックの設定・解除をリモコン送信機１０自身に対して行うようにしているので、リモコン送信機１０単独で設定・解除を行うことができる。さらに、チャイルドロック機能のないＣＥ機器であっても、リモコン送信機１０を、ＣＥ機器に付属するリモコン送信機と交換して使用すれば、チャイルドロック機能が有効になるとともに、赤外線対策も有効となる。
【００４７】
また、リモコン送信機１０は、チャイルドロック時も、普通に使用するときと同じように、ＬＥＤ２２が点灯するとともに圧電ブザー２４が鳴るので、幼児にリモコン送信機１０をせがまれたとき、おもちゃ代わりに渡すことができる。
【００４８】
しかも、リモコン送信機１０に新たなパーツなどを追加する必要がないので、コストの上昇を招くこともない。
【００４９】
なお、上述において、チャイルドロックが設定されている場合に、操作キー１１が押されたとき（［２−４］のとき）、ステップ１４１において、圧電ブザー２４から出力される確認音の音程を、ステップ１１１の実行時の確認音とは異なるものとして、例えば音程や継続時間を異なるものとして、チャイルドロックが設定されていることが確認音からも知ることができるようにしてもよい。
【００５０】
また、上述において、ＬＣＤ２３および圧電ブザー２４は省略することもできる。その場合には、チャイルドロック時におけるリモコン操作が無効であることを、ＬＥＤ２２の点灯状態ないし点滅状態でユーザに通知すればよい。また、ルーチン１００においては、チャイルドロックの設定・解除の判別をしてからキー操作がチャイルドロックの設定・解除のものか通常のリモコン操作のためのキー操作であるかを判別しているが、これらの判別順序を逆にすることもできる。
【００５１】
さらに、操作キー１１のうち、特定の操作キーを所定の期間にわたって押し続けたとき、チャイルドロックが設定あるいは解除されるようにしてもよい。また、チャイルドロックの設定と解除とを異なる操作キーに割り当てることもできる。
【００５２】
〔略語の一覧〕
ＣＥ    ：Consumer Electronics
ＣＰＵ  ：Central Processing Unit
ＬＣＤ  ：Liquid Crystal Display
ＬＥＤ  ：Light Emitting Diode
ＲＯＭ  ：Read Only Memory
ＶＴＲ  ：Video Tape Recorder
リモコン：Remote Control
【図面の簡単な説明】
【００５３】
【図１】この発明の一形態を示す系統図である。
【図２】この発明の一形態を示す平面図である。
【図３】この発明の一形態を示すフローチャートである。
【符号の説明】
【００５４】
１０…リモコン送信機、１１…操作キー、１２…マイクロコンピュータ、１３〜１６…ドライブ回路、２１…赤外線ＬＥＤ、２２…表示用ＬＥＤ、２３…ＬＣＤ、２４…圧電ブザー、１００…ルーチン
【図１】
2005204112.tif 000003
【図２】
2005204112.tif 000004
【図３】
2005204112.tif 000005